(57)【要約】      （修正有）【課題】複数の染毛剤の混合使用による染毛後の髪色を簡便かつ的確に予測できるようにする手段を提供する。【解決手段】（１）複数の異なる色調の毛髪を、一定濃度の混合使用する一の染毛剤で染毛し、その染毛前および染毛後の毛髪色をＲＧＢ系の色情報とし、これから該染毛剤の原毛と染色毛の色調変化の関係式を、Ｒ値、Ｇ値およびＢ値について求める工程、（２）他の染毛剤の原毛と染色毛の色調変化の関係式を、Ｒ値、Ｇ値およびＢ値について求める工程、（３）混合染毛後のＲ波長の予測色素濃度式を導く工程、（４）混合染毛後のＧ波長の予測色素濃度式およびＢ波長の予測色素濃度式を導く工程、（５）混合染毛後の予測Ｒ値式を導く工程、（６）混合染毛後の予測Ｇ値式および予測Ｂ値式を導く工程、（７）予測Ｒ値、予測Ｇ値および予測Ｂ値を求める工程、（８）混合染毛後の予想染毛色を表示する工程を含む、複数の染毛剤の混合使用による染毛色の予測方法。【選択図】図１
2007212140.tif 000002
【特許請求の範囲】
【請求項１】
次の工程（１）ないし（８）
（１）複数の異なる色調の毛髪を、一定濃度の混合使用する一の染毛剤で染毛し、そ
の染毛前および染毛後の毛髪色をＲＧＢ系の色情報とし、これから当該染毛剤の原
毛と染色毛の色調変化の関係式を、Ｒ値、Ｇ値およびＢ値について求める工程、
（２）上記（１）の工程を、混合使用する他の染毛剤についても繰り返し、他の染毛
剤の原毛と染色毛の色調変化の関係式を、Ｒ値、Ｇ値およびＢ値について求める工
程、
（３）混合使用する一の染毛剤についてのＲ値の色調変化の関係式で２５５を割った
値の常用対数値と、他の染毛剤についてのＲ値の色調変化の関係式で２５５を割っ
た値の常用対数値とを求め、これら各染毛剤についての常用対数値に、各染毛剤の
混合割合を掛け、この混合割合を掛けた常用対数値を加え合わせて混合染毛後のＲ
波長の予測色素濃度式（ＤＲ）を導く工程、
（４）上記工程（１）および（２）で求めたＧ値およびＢ値の色調変化の関係式につ
いて、工程（３）を繰り返し、混合染毛後のＧ波長の予測色素濃度式（ＤＧ）およ
びＢ波長の予測色素濃度式（ＤＢ）を導く工程、
（５）１０を上記工程（３）で得られたＲ波長の予測色素濃度式（ＤＲ）によりべき
乗した値で２５５を割って混合染毛後の予測Ｒ値式（ＳＲ）を導く工程、
（６）上記工程（４）で求めたＧ波長の予測色素濃度式（ＤＧ）およびＢ波長の予測
色素濃度式（ＤＢ）について、工程（５）を繰り返し、混合染毛後の予測Ｇ値式（Ｓ
Ｇ）および予測Ｂ値式（ＳＢ）を導く工程、
（７）各染毛剤の混合割合と、染毛対象毛髪の実測Ｒ値、実測Ｇ値および実測Ｂ値を、
上記工程（５）および（６）で得た予測Ｒ値式（ＳＲ）、予測Ｇ値式（ＳＧ）および
予測Ｂ値式（ＳＢ）に代入し、予測Ｒ値、予測Ｇ値および予測Ｂ値を求める工程、
（８）上記工程（７）で得た予測Ｒ値、予測Ｇ値および予測Ｂ値に基づき、混合染毛
後の予想染毛色を表示する工程
を含む、複数の染毛剤の混合使用による染毛色の予測方法。
【請求項２】
他の染毛剤が、１種である請求項第１項記載の染毛色の予測方法。
【請求項３】
他の染毛剤が、２種以上である請求項第１項記載の染毛色の予測方法。
【請求項４】
複数の異なる色調の毛髪として、２ないし４種類の毛髪を使用する請求項第１項ないし第３項の何れかの項記載の染毛色の予測方法。
【請求項５】
予想染毛色の表示を画像表示方法により行う請求項第１項ないし第４項の何れかの項記載の染毛色の予測方法。
【発明の詳細な説明】
【技術分野】
【０００１】
本発明は、染毛剤による染毛色の予測方法に関する。さらに詳しくは、複数の染毛剤を混合して染毛する場合において、染毛剤を実際に使用することなく、染毛後の毛髪の染毛色を簡便に予測することを可能とする染毛色の予測方法に関する。
【背景技術】
【０００２】
従来より、ヘアカラーやヘアマニキュアなどの染毛剤を用いて、毛髪を所望の色に染毛する、「おしゃれ染め」や「毛髪のカラーリング」が広く行われている。この染毛剤による仕上がり後の髪色については、染毛剤の包装容器等に表示された染毛後の色見本や、店頭に置かれた染毛後の毛束見本色により使用者に知らされることが一般的であった。そして、使用者も、これらの表示内容等を頼りにして、自己の染毛後の髪色を判断していた。しかしながら、染毛後の髪色は、染毛剤自体が有する色だけで決定されるわけではなく、染毛前の髪色の影響をも受けてしまうため、染毛剤の色見本等だけをもとにして、染毛後の髪色を判断することは困難であるという問題があった。
【０００３】
このような問題を解決するため、本出願人は、既に、被験者の毛髪の色を測定してその色情報を得、この色情報を、予め複数の毛髪を所定の染毛剤で染毛し、染毛前および染毛後の毛髪の色を測定することにより導かれた染毛前後の色情報の変化の関係式に代入することにより、被験者の染毛後の毛髪色情報を予測し、これを表示することを特徴とする染毛剤の染毛状態予測方法を提案している（特許文献１参照）。この方法によれば、１種類の染毛剤について、被験者が実際に使用しなくても、当該染毛剤を使用した場合の毛髪の染毛状態を簡便に予想することが可能である。
【０００４】
一方、染毛剤を１種類のみならず２種類あるいは３種類以上混合して使用すれば、その組み合わせや混合割合によって、極めて多様な毛髪色とすることが可能であるため、このような複数の染毛剤の混合使用による染毛色を簡便に予想できれば非常に有用である。しかしながら、上記した方法では、複数の染毛剤を混合使用する場合には、実際に混合することなくその染毛色を予想することはできなかった。
【０００５】
【特許文献１】特開２００４−１４４５６９号公報
【発明の開示】
【発明が解決しようとする課題】
【０００６】
従って、複数の染毛剤の混合使用による染毛後の毛髪色を簡便かつ的確に予測できるようにする手段の提供が求められていた。
【課題を解決するための手段】
【０００７】
本発明者らは、上記の課題を解決すべく鋭意検討した結果、混合使用する各染毛剤について、ＲＧＢ表色系を用い、ＲＧＢ値それぞれの染毛前後の色調変化の関係式を得て、ＲＧＢの各波長域における色素濃度を表す式を導くことによって、これから所定の割合により複数の染毛剤を混合使用して染毛した後のＲＧＢ値を予測することができることを見出し、本発明を完成するに到った。
【０００８】
すなわち、本発明は、
次の工程（１）ないし（８）
（１）複数の異なる色調の毛髪を、一定濃度の混合使用する一の染毛剤で染毛し、そ
の染毛前および染毛後の毛髪色をＲＧＢ系の色情報とし、これから当該染毛剤の原
毛と染色毛の色調変化の関係式を、Ｒ値、Ｇ値およびＢ値について求める工程、
（２）上記（１）の工程を、混合使用する他の染毛剤についても繰り返し、他の染毛
剤の原毛と染色毛の色調変化の関係式を、Ｒ値、Ｇ値およびＢ値について求める工
程、
（３）混合使用する一の染毛剤についてのＲ値の色調変化の関係式で２５５を割った
値の常用対数値と、他の染毛剤についてのＲ値の色調変化の関係式で２５５を割っ
た値の常用対数値とを求め、これら各染毛剤についての常用対数値に、各染毛剤の
混合割合を掛け、この混合割合を掛けた常用対数値を加え合わせて混合染毛後のＲ
波長の予測色素濃度式（ＤＲ）を導く工程、
（４）上記工程（１）および（２）で求めたＧ値およびＢ値の色調変化の関係式につ
いて、工程（３）を繰り返し、混合染毛後のＧ波長の予測色素濃度式（ＤＧ）およ
びＢ波長の予測色素濃度式（ＤＢ）を導く工程、
（５）１０を上記工程（３）で得られたＲ波長の予測色素濃度式（ＤＲ）によりべき
乗した値で２５５を割って混合染毛後の予測Ｒ値式（ＳＲ）を導く工程、
（６）上記工程（４）で求めたＧ波長の予測色素濃度式（ＤＧ）およびＢ波長の予測
色素濃度式（ＤＢ）について、工程（５）を繰り返し、混合染毛後の予測Ｇ値式（Ｓ
Ｇ）および予測Ｂ値式（ＳＢ）を導く工程、
（７）各染毛剤の混合割合と、染毛対象毛髪の実測Ｒ値、実測Ｇ値および実測Ｂ値を、
上記工程（５）および（６）で得た予測Ｒ値式（ＳＲ）、予測Ｇ値式（ＳＧ）および
予測Ｂ値式（ＳＢ）に代入し、予測Ｒ値、予測Ｇ値および予測Ｂ値を求める工程、
（８）上記工程（７）で得た予測Ｒ値、予測Ｇ値および予測Ｂ値に基づき、混合染毛
後の予想染毛色を表示する工程
を含む、複数の染毛剤の混合使用による染毛色の予測方法である。
【発明の効果】
【０００９】
本発明の染毛色の予測方法を用いれば、複数の染毛剤を混合使用して染毛する場合において、被験者が実際にこれらの染毛剤を使用しなくても、染毛後の毛髪色を簡便に予想することができるものである。
【００１０】
また、本発明は、被験者の毛髪を実際に染毛することなく、所望の色に染毛するために必要な染毛剤の組み合わせおよびその混合割合を的確に選択するための指標とすることができるものである。
【００１１】
従って、本発明の染毛色の予測方法は、複数の染毛剤を所定の割合で混合使用して染毛した毛髪色の状態を予測する手段として、化粧品店等の店頭や美容院において有利に使用することができるものである。
【発明を実施するための最良の形態】
【００１２】
本発明の複数の染毛剤の混合使用による染毛色の予測方法は、上記のとおり８つの工程を含むものである。以下、各工程について説明する。
【００１３】
まず本発明の工程（１）は、複数の異なる色調の毛髪を、一定濃度の混合使用する一の染毛剤で染毛し、その染毛前および染毛後の毛髪色をＲＧＢ系の色情報とし、これから当該染毛剤の原毛と染色毛の色調変化の関係式を、Ｒ値、Ｇ値およびＢ値について求める工程である。
【００１４】
上記色調変化の関係式を求めるために、まず、複数の異なる色調の毛髪試料を用意し、それぞれの毛髪試料について、混合使用する複数の染毛剤のうちの一つで染毛する前の毛髪（原毛）と後の毛髪（染色毛）の毛髪色を測定することにより色情報を得る必要がある。
【００１５】
この色情報を得るために用いる毛髪試料としては、その外観から判断できる範囲において、ある程度同種とみなせる範囲ごとに収集することが好ましい。例えば、若い一般的な日本人を対象とする場合は、外観上黒ないし濃茶と判断できる毛髪を毛髪試料として収集することが好ましい。これに対し、白髪や染毛処理あるいは脱色処理をした毛髪では、染毛後の変化が、髪色が黒ないしは濃茶であるものと比べ異なるので、これらは別個の毛髪試料とすることが好ましい。
【００１６】
また、染毛剤の染まり易さは、毛髪の太さや、直毛かくせ毛であるか等の髪質によっても異なることが多いので、毛髪試料の収集にあたっては、これらの髪状態についても、ある程度同種とみなせる状態のものを収集し、色情報を得ることが好ましい。
【００１７】
このような毛髪試料を、２〜４種類、好ましくは、３〜４種類用いることにより、十分な精度の色調変化の関係式を得ることができる。
【００１８】
毛髪試料の染毛にあたっては、各試料に対する染毛剤の濃度は一定にする必要がある。また、その他の染色条件を共通にして実施することが好ましいことはいうまでもなく、染毛剤の使用量および染毛時間等の条件についても、使用する染毛剤を用いる際の標準的なものとすることが好ましい。
【００１９】
上記毛髪試料またはこれを染毛したものから色情報を得るには、常法に従って、例えば、白色光を毛髪試料に照射し、反射光を分光して各波長の強度を測定して各色の情報を得る方法、または分光した光を照射し、反射光強度を測定して各色の情報を得る方法などを用いた装置により毛髪色を測定すればよく、例えば、携帯型分光測色計（ＣＭ−５０３ｄ：ミノルタ（株）製）等の市販される装置を用いて毛髪色を測定して色情報を得ればよい。この毛髪色測定に当たっての色情報の表示様式は、ＲＧＢ系のほか、最終的にＲＧＢ系に変換できるものであればよく、例えば、ＸＹＺ系、Ｌａｂ系、ＣＭＹＫ系等の表色系を使用することができる。このようなＲＧＢ系以外の表色系の場合は常法によりＲＧＢ系の色情報に変換すればよく、例えば、Ｌａｂ系の色情報の場合は、ＣＩＥ（国際照明委員会）にて定義された変換式を用いＲＧＢ系の色情報に変換することができる。
【００２０】
このようにして得られたＲＧＢ系の色情報の階調数は、毛髪色を画像表示手段等によって適切に表現できるようにするため２５６階調を使用する。
【００２１】
以上のようにして得られた、混合使用する染毛剤のうちの一つの染毛剤によって染毛した染毛前および染毛後の各毛髪試料のＲＧＢ系の色情報を用いて、Ｒ値、Ｇ値およびＢ値のそれぞれについて、原毛（染毛前の毛髪試料）と染色毛（染毛後の毛髪試料）の色調変化の関係式を求める。
【００２２】
この色調変化の関係式は、各試料毎にＲ値、Ｇ値およびＢ値のそれぞれについて、原毛のものをｘ軸（横軸）、染色毛のものをｙ軸（縦軸）として表示し、その相関式として求めることができる。
【００２３】
より具体的には、Ｒ値、Ｇ値およびＢ値のそれぞれについて、各試料毎にｘｙ座標上に原毛の値と染色毛の値を示す点をプロットする。このプロットされた点は、一定の直線または曲線にそって分布するので、この直線または曲線を示す式を原毛と染色毛の色調変化の関係式（相関式）とすることができるのである。
【００２４】
工程（２）は、上記（１）の工程を、混合使用する他の染毛剤についても繰り返し、他の染毛剤の原毛と染色毛の色調変化の関係式を、Ｒ値、Ｇ値およびＢ値について求める工程である。このようにして、混合使用する全ての染毛剤に対して、Ｒ値、Ｇ値およびＢ値のそれぞれについて色調変化の関係式を求める。
【００２５】
工程（３）は、混合使用する一の染毛剤についてのＲ値の色調変化の関係式で２５５を割った値の常用対数値と、他の染毛剤についてのＲ値の色調変化の関係式で２５５を割った値の常用対数値とを求め、これら各染毛剤についての常用対数値に、各染毛剤の混合割合を掛け、この混合割合を掛けた常用対数値を加え合わせて混合染毛後のＲ波長の予測色素濃度式（ＤＲ）を導く工程である。
【００２６】
このＲ波長の予測色素濃度式（ＤＲ）は次のようにして導かれる。すなわち、染毛剤の発色具合は毛髪内の色素量に比例することから、毛髪内の色素濃度から予測可能である。一般に拡散光を使用した物体色計測において、物体内の色素濃度は以下の関係が知られており、ある波長について、I0を光源強度、Iを反射光強度とすると濃度Ｄは、
【数１】
2007212140.tif 000003
と表すことができる。
【００２７】
上記式（１）において、I0は２５６階調（０〜２５５）の最大値であることから、Ｒ値の予測色素濃度ＤＲは、
【数２】
2007212140.tif 000004
と表される。
【００２８】
上記工程（１）で得られた一の染毛剤についてのＲ値の色調変化の関係式は、あるＲ値を有する原毛を当該染毛剤によって染毛したＲ値を表すから、上記式(２)中のＩに当該関係式を代入すれば、この染毛剤による染毛後のＲ波長における色素濃度が求められる。このように、混合使用する一の染毛剤についてのＲ値の色調変化の関係式で２５５を割った値の常用対数値を求めることにより、当該染毛剤を使用した染色毛のＲ波長における色素濃度を得ることができる。同様にして、混合使用する他の染毛剤のそれぞれについても、工程（２）で得られたＲ値の色調変化の関係式で２５５を割った値の常用対数値を求めることによって、他の染毛剤を単独で使用した染色毛のＲ波長における色素濃度が求められる。
【００２９】
このようにして得られた各染毛剤についての対数値（Ｒ波長の色素濃度）に、各染毛剤の混合割合を掛け、これらを加え合わせることによって、複数の染毛剤の混合使用による染色毛のＲ波長における色素濃度を求めることができる。例えば２種類の染毛剤１および染毛剤２をｘ：ｙの割合で混合使用する場合において、各染毛剤の単独使用による染色毛のＲ波長における色素濃度をＤｒ１、Ｄｒ２とすると、混合染毛後の染色毛のＲ波長における色素濃度ＤＲは
【数３】
2007212140.tif 000005
として導くことができる。
【００３０】
同様にして３種類以上の染毛剤による混合染毛後の染色毛についてのＲ波長の色素濃度を求めることができる。例えば、３種類の染毛剤１ないし３をｘ：ｙ：ｚで混合染毛する場合において、各染毛剤の単独使用による染色毛のＲ波長の色素濃度をＤｒ１、Ｄｒ２、Ｄｒ３とすると、混合染毛後の染色毛のＲ波長における色素濃度ＤＲは、
【数４】
2007212140.tif 000006
として導くことができる。
【００３１】
工程（４）は、上記工程（１）および（２）で求めたＧ値およびＢ値の色調変化の関係式について、工程（３）を繰り返し、混合染毛後のＧ波長の予測色素濃度式（ＤＧ）およびＢ波長の予測色素濃度式（ＤＢ）を導く工程である。このようにして、ＲＧＢの各波長における、混合染毛後の予測色素濃度式を求める。
【００３２】
工程（５）は、１０を上記工程（３）で得られたＲ波長の予測色素濃度式（ＤＲ）によりべき乗した値で２５５を割って混合染毛後の予測Ｒ値式（ＳＲ）を導く工程である。
【００３３】
上記工程（３）で得られた複数の染毛剤による混合染毛後のＲ波長の予測色素濃度式（ＤＲ）から、混合染毛後の予測Ｒ値式を求めることができる。すなわち、予測Ｒ値をＳＲとすると、２種類の染毛剤を混合使用する場合、上記式（２）および（３）より
【数５】
2007212140.tif 000007
となる。これより、
【数６】
2007212140.tif 000008
となり、２種類の染毛剤の混合染毛による予測Ｒ値式が得られる。
【００３４】
同様にして３種類以上の染毛剤の混合使用による予測Ｒ値式を求めることもできる。すなわち、３種類の場合には、上記式（２）および（４）より
【数７】
2007212140.tif 000009
となる。これより、
【数８】
2007212140.tif 000010
として、３種類の染毛剤の混合染毛による予測Ｒ値式が得られる。このように、１０をＲ波長の予測色素濃度式（ＤＲ）によりべき乗した値で２５５を割ることによって、複数の染毛剤の混合染毛による予測Ｒ値式が導出される。
【００３５】
工程（６）は、上記工程（４）で求めたＧ波長の予測色素濃度式（ＤＧ）およびＢ波長の予測色素濃度式（ＤＢ）について、工程（５）を繰り返し、混合染毛後の予測Ｇ値式（ＳＧ）および予測Ｂ値式（ＳＢ）を導く工程である。このようにして、Ｒ値、Ｇ値およびＢ値のすべてについて混合染毛後の予測式を導出する。
【００３６】
工程（７）は、各染毛剤の混合割合と、染毛対象毛髪の実測Ｒ値、実測Ｇ値および実測Ｂ値を、上記工程（５）および（６）で得た予測Ｒ値式（ＳＲ）、予測Ｇ値式（ＳＧ）および予測Ｂ値式（ＳＢ）に代入し、予測Ｒ値、予測Ｇ値および予測Ｂ値を求める工程である。この工程において、被験者が複数の染毛剤を所定の割合で混合して染毛した後の毛髪色のＲＧＢ値の予測値は、次のようにして得ることができる。
【００３７】
まず、染毛対象毛髪の毛髪色の測定を行う。この測定は、上記した毛髪試料の色情報の取得と同じようにＲＧＢ系のほか、種々の表色系を用いて行うことができる。
【００３８】
この毛髪色の測定により得られた色情報は、ＲＧＢ系以外の表色系による色情報の場合であればＲＧＢ系に変換され、ＲＧＢ２５６階調色値として表される。この染毛対象毛髪の実測Ｒ値、実測Ｇ値および実測Ｂ値ならびに各染毛剤の混合割合を、上記工程（５）および（６）で得られた予測Ｒ値式、予測Ｇ値式および予測Ｂ値式に代入することによって、混合染毛後の毛髪のＲＧＢ値の予測値としての計算値が得られる。
【００３９】
工程（８）は、上記工程（７）で得た予測Ｒ値、予測Ｇ値および予測Ｂ値に基づき、混合染毛後の予想染毛色を表示する工程である。この工程において、工程（７）により得られた予測Ｒ値、予測Ｇ値および予測Ｂ値により表示される色が、複数の染毛剤を所定の割合で混合使用することによって被験者の毛髪を染毛した予想染毛色となるのである。
【００４０】
また、この予想染毛色は、種々の画像表示手段、例えば、カラー液晶、カラーモニター等の画像表示手段を用いることによって色表示することができ、被験者は、かかる色表示から、複数の染毛剤の混合使用による仕上がり状態を予測することが可能となる。
【実施例】
【００４１】
次に実施例を挙げて本発明を更に詳しく説明するが、本発明はこれら実施例に何ら制約されるものではない。
【００４２】
実  施  例  １
２種類の染毛剤の混合使用による染毛色の予測を行った。
（  色情報の取得  ）
下記の仕様の毛束３種類を携帯型分光測色計（ＣＭ−５０３ｄ：ミノルタ製）のＳＣＥモード（正反射光除去）を用いてL*a*b*値を測定し染毛前の毛束（原毛）の色情報を取得した。
【００４３】
（  毛束の仕様  ）
色              ：黒、茶系２種、白色の計４種類
太  さ          ：約０．５〜１μｍ
長  さ          ：約１５ｃｍ
髪質等          ：直毛
【００４４】
次に、染毛剤としてコレストン  パーフェクト８／４４（色：紫系：ウエラジャパン(株)製；以下、「８／４４」と略記することがある）、酸化剤としてウエロキソン  パーフェクト６％（ウエラジャパン(株)製）を用いて以下の染色条件で染毛した後、染毛前と同様にL*a*b*値を測定し染毛後の毛束（染色毛）の色情報を取得した。なお、色情報はｎ＝６で確認した。
【００４５】
（  染色条件  ）
毛束１ｇに対して、染毛剤２ｇ酸化剤２ｇを混合した後、毛束に塗布し室温（約２５℃）に４０分放置した。その後シャンプーを用いて流水中で約１分間洗浄して染色毛とした。
【００４６】
得られた原毛と染色毛の色情報データを、ＣＩＥ（国際照明委員会）にて定義された変換式を用いＲＧＢ２５６階調色値に変換し、原毛及び染色毛の色情報の変換値をそれぞれ横軸、縦軸にプロットして色情報の関係を求めた。コレストン  パーフェクト８／４４のＲ値、Ｇ値、Ｂ値に関する結果を図１〜図３に示す。また、これらの結果から、原毛と染色毛の関係を示す近似式として下記式（９）〜（１１）を導いた。
【００４７】
Ｒ４４＝０．５９９６Ｒ＋６．２８７４            （９）
Ｇ４４＝０．１７９９Ｇ＋７．００４６            （１０）
Ｂ４４＝０．０９８Ｂ＋１７．５２５              （１１）
【００４８】
上記式中、Ｒ、Ｇ、Ｂは原毛のＲＧＢ値を、Ｒ４４、Ｇ４４、Ｂ４４はコレストン  パーフェクト８／４４を用いて染毛した染色毛のＲＧＢ値を示す。
【００４９】
つぎに他の染毛剤として、コレストン  パーフェクト８／００（色：アッシュ系：ウエラジャパン(株)製；以下、「８／００」と略記することがある）を用いて、コレストンパーフェクト８／４４と同様にして、得られた原毛および染色毛のＲＧＢ２５６階調色値をプロットした。その結果を図４〜６に示す。またこれから原毛と染色毛の関係を示す近似式として下記式（１２）〜（１４）を得た。
【００５０】
Ｒ００＝０．２７８７Ｒ−３．９７９８            （１２）
Ｇ００＝０．１６５４Ｇ＋９．３１３６            （１３）
Ｂ００＝０．１８３５Ｂ＋１７．１６              （１４）
【００５１】
上記式中、Ｒ、Ｇ、Ｂは原毛のＲＧＢ値を、Ｒ００、Ｇ００、Ｂ００はコレストン  パーフェクト８／００を用いて染毛した染色毛のＲＧＢ値を示す。
【００５２】
（  混合染毛後の予測色素濃度式の導出  ）
混合染毛後のＲ波長の予測色素濃度をＤRとすると、式（３）、（９）、（１２）から
【数９】
2007212140.tif 000011
となる。
【００５３】
同様に、Ｇ波長の予測色素濃度をＤＧ、Ｂ波長の予測色素濃度をＤＢとすると式（３）、（１０）〜（１１）、（１３）〜（１４）から、
【数１０】
2007212140.tif 000012
【数１１】
2007212140.tif 000013
となる。
【００５４】
（  混合染毛後の予測Ｒ値式、予測Ｇ値式および予測Ｂ値式の導出  ）
複数の染毛剤による混合染毛後の予測Ｒ値をＳＲとすると、式（６）および（１５）より、
【数１２】
2007212140.tif 000014
となり、コレストン  パーフェクト８／４４および８／００をｘ：ｙの割合で混合使用した場合の染毛後の予測Ｒ値式を得ることができる。
【００５５】
同様にして混合染毛後の予測Ｇ値および予測Ｂ値をＳＧ、ＳＢとすると、式（６）、（１６）〜（１７）より
【数１３】
2007212140.tif 000015
【数１４】
2007212140.tif 000016
となり、予測Ｇ値式および予測Ｂ値式が導かれる。
【００５６】
（  混合染毛後の予測ＲＧＢ値と実測ＲＧＢ値との比較  ）
コレストン  パーフェクト８／４４および８／００の混合割合を８／４４：８／００＝１：３、８／４４：８／００＝１：１、８／４４：８／００＝３：１として、それぞれの混合割合と染毛前の毛束（原毛）の実測ＲＧＢ値とを、上記で得られた混合染毛後の予測Ｒ値式、予測Ｇ値式および予測Ｂ値式（式（１８）〜（２０））に代入し、予測Ｒ値、予測Ｇ値および予測Ｂ値を求めた。また、この毛束を、上記混合割合により混合し、上記した染色条件で実際に染毛し、その後上記の色情報取得方法により取得した色情報を変換して染色毛の実測ＲＧＢ値を得た。原毛の実測ＲＧＢ値と染色毛の予測ＲＧＢ値及び実測ＲＧＢ値を下表に示す。
【００５７】
【表１】
2007212140.tif 000017
【００５８】
この結果より、本発明方法によって得られる複数の染毛剤による混合染毛後の染色毛の予測値と実際に混合染毛した毛髪の実測値は非常に相関が高いものであることが明らかとなった。
【００５９】
実  施  例  ２
３種類の染毛剤の混合使用による染毛色の予測を行った。
（ 色情報の取得 ）
下記の仕様の毛束３種類を携帯型分光測色計（ＣＭ−５０３ｄ：ミノルタ製）のＳＣＥモード（正反射光除去）を用いてL*a*b*値を測定し染毛前の（原毛）の色情報を取得した。
【００６０】
（  毛束の仕様  ）
色              ：黒、茶系２種、白色の計４種類
太  さ          ：約０．５〜１μｍ
長  さ          ：約１５ｃｍ
髪質等          ：直毛
【００６１】
次に、染毛剤としてコレストン  パーフェクト８／６（色：紫系：ウエラジャパン(株)製；以下「８／６」と略記することがある）、酸化剤としてウエロキソン  パーフェクト６％（ウエラジャパン(株)製）を用いて以下の染色条件で染毛した後、染毛前と同様にしてL*a*b*値を測定し染毛後（染色毛）の色情報を取得した。なお、色情報はｎ＝６で確認した。
【００６２】
（  染色条件  ）
毛束１ｇに対して、染色剤２ｇ酸化剤２ｇを混合した後、毛束に塗布し室温（約２５℃）に４０分放置した。その後シャンプーを用いて流水中で約１分間洗浄して染色毛とした。
【００６３】
得られた原毛と染色毛の色情報データを、ＣＩＥ（国際照明委員会）にて定義された変換式を用いＲＧＢ２５６階調色値に変換し、原毛及び染色毛の色情報の変換値をそれぞれ横軸、縦軸にプロットして色情報の関係を求めた。コレストン  パーフェクト８／６のＲ値、Ｇ値及びＢ値に関する結果を図７〜９にそれぞれ示す。また、これらの結果から、原毛と染色毛の色調変化の関係を示す近似式として下記式（２１）〜（２３）を導いた。
【００６４】
Ｒ６＝０．４２０６Ｒ＋８．８８３７            （２１）
Ｇ６＝０．２２１６Ｇ＋１７．４３９            （２２）
Ｂ６＝０．３０８６Ｂ＋２０．３２１            （２３）
【００６５】
上記式中、Ｒ、Ｇ、Ｂは染色前の毛髪のＲＧＢ値を、Ｒ６、Ｇ６、Ｂ６はコレストン  パーフェクト８／６を用いて染色した毛髪のＲＧＢ値を示す。
【００６６】
つぎにその他の染毛剤として、コレストン  パーフェクト８／１１（色：アッシュ系；以下「８／１１」と略記することがある）及び８／３３（色：ブラウン系；以下「８／３３」と略記することがある）（共にウエラジャパン(株)製）を用いて、上記のコレストン  パーフェクト８／６と同様にして、それぞれの染毛剤について得られた原毛および染色毛のＲＧＢ２５６階調色値をプロットして色情報の関係を求めた。コレストン  パーフェクト８／１１に関する結果を図１０〜１２に、８／３３に関する結果を図１３〜１５に示す。またこれらから、原毛と染色毛の色調変化の関係を示す近似式として下記式（２４）〜（２９）を導いた。
【００６７】
Ｒ１１＝０．４９９９Ｒ＋１０．０３２          （２４）
Ｇ１１＝０．５７３７Ｇ＋９．８５９４          （２５）
Ｂ１１＝０．７１２２Ｂ＋６．０３４７          （２６）
Ｒ３３＝０．５３４０Ｒ＋２．１８１４          （２７）
Ｇ３３＝０．３９７２Ｇ＋５．１１７７          （２８）
Ｂ３３＝０．２８１３Ｂ＋１５．８１３          （２９）
【００６８】
上記式中、Ｒ、Ｇ、Ｂは染色前の毛髪のＲＧＢ値を、Ｒ１１、Ｇ１１、Ｂ１１はコレストン  パーフェクト８／１１を、Ｒ３３、Ｇ３３、Ｂ３３はコレストン  パーフェクト８／３３を用いて染色した毛髪のＲＧＢ値を示す。
【００６９】
（ 混合染毛後の予測色素濃度式の導出 ）
混合染毛後のＲ波長の色素濃度をＤＲとすると、式（４）、（２１）、（２４）および（２７）より、
【数１５】
2007212140.tif 000018
となり、Ｒ波長の予測色素濃度式が得られる。
【００７０】
同様に、混合染毛後のＧ波長の色素濃度をＤＧ、Ｂ波長の色素濃度をＤＢとすると、式（４）、（２２）〜（２３）、（２５）〜（２６）、（２８）〜（２９）より
【数１６】
2007212140.tif 000019
【数１７】
2007212140.tif 000020
となり、Ｇ波長およびＢ波長の予測色素濃度式が得られる。
【００７１】
（  混合染毛後の予測Ｒ値式、予測Ｇ値式および予測Ｂ値式の導出  ）
複数の染毛剤による混合染毛後の予測Ｒ値をＳＲとすると、式（８）および（３０）より、
【数１８】
2007212140.tif 000021
となりコレストン  パーフェクト８／６、８／１１および８／３３をｘ：ｙ：ｚの割合で混合染毛した染色毛の予測Ｒ値式を得ることができる。
【００７２】
同様にして混合染毛後の予測Ｇ値および予測Ｂ値をＳＧ、ＳＢとすると、式（８）、（３１）、（３２）より
【数１９】
2007212140.tif 000022
となり、予測Ｇ値式および予測Ｂ値式を得ることができる。
【数２０】
2007212140.tif 000023
【００７３】
（  混合染毛後の予測ＲＧＢ値  ）
コレストン  パーフェクト８／６、８／１１および８／３３の３種類の染毛剤の混合割合を８／６：８／１１：８／３３＝１：１：１、８／６：８／１１：８／３３＝２：１：１、８／６：８／１１：８／３３＝１：２：１、８／６：８／１１：８／３３＝１：１：２として、それぞれの混合割合と染毛前の毛束（原毛）の実測ＲＧＢ値とを、上記で得られた混合染毛後の予測Ｒ値式、予測Ｇ値式および予測Ｂ値式（式（３３）〜（３５））に代入し、染色毛の予測ＲＧＢ値を求めた。原毛の実測ＲＧＢ値と染色毛の予測ＲＧＢ値を下記表２に示す。
【００７４】
【表２】
2007212140.tif 000024
【産業上の利用可能性】
【００７５】
本発明の染毛色の予測方法は、使用者が実際に染毛剤を使用しなくても、複数の染毛剤を所定の割合で使用した場合における毛髪色を簡便に予想することができるものである。
【００７６】
したがって、本発明方法は、使用者が所望の色に染毛するために必要な染毛剤の組み合わせやその混合割合を的確に選択するための指標とすることができるものであり、化粧品店等の店頭や美容院において有用なものである。
【図面の簡単な説明】
【００７７】
【図１】実施例１において８／４４の原毛と染色毛のＲ値の関係を示したグラフ            である。
【図２】実施例１において８／４４の原毛と染色毛のＧ値の関係を示したグラフ            である。
【図３】実施例１において８／４４の原毛と染色毛のＢ値の関係を示したグラフ            である。
【図４】実施例１において８／００の原毛と染色毛のＲ値の関係を示したグラフ            である。
【図５】実施例１において８／００の原毛と染色毛のＧ値の関係を示したグラフ            である。
【図６】実施例１において８／００の原毛と染色毛のＢ値の関係を示したグラフ            である。
【図７】実施例２において８／６の原毛と染色毛のＲ値の関係を示したグラフで            ある。
【図８】実施例２において８／６の原毛と染色毛のＧ値の関係を示したグラフで            ある。
【図９】実施例２において８／６の原毛と染色毛のＢ値の関係を示したグラフで            ある。
【図１０】実施例２において８／１１の原毛と染色毛のＲ値の関係を示したグラ            フである。
【図１１】実施例２において８／１１の原毛と染色毛のＧ値の関係を示したグラ            フである。
【図１２】実施例２において８／１１の原毛と染色毛のＢ値の関係を示したグラ            フである。
【図１３】実施例２において８／３３の原毛と染色毛のＲ値の関係を示したグラ            フである。
【図１４】実施例２において８／３３の原毛と染色毛のＧ値の関係を示したグラ            フである。
【図１５】実施例２において８／３３の原毛と染色毛のＢ値の関係を示したグラ            フである。                                                                      以  上
【図１】
2007212140.tif 000025
【図２】
2007212140.tif 000026
【図３】
2007212140.tif 000027
【図４】
2007212140.tif 000028
【図５】
2007212140.tif 000029
【図６】
2007212140.tif 000030
【図７】
2007212140.tif 000031
【図８】
2007212140.tif 000032
【図９】
2007212140.tif 000033
【図１０】
2007212140.tif 000034
【図１１】
2007212140.tif 000035
【図１２】
2007212140.tif 000036
【図１３】
2007212140.tif 000037
【図１４】
2007212140.tif 000038
【図１５】
2007212140.tif 000039